(57)【特許請求の範囲】
【請求項１】
光源、回転多面鏡、結像レンズ系、被走査体上へ走査線を導く反射ミラー、この反射ミラーを回動可能に支持するミラー支持部、及び反射ミラーの反射面の角度を調整する角度調整手段を有し、それらを収容するハウジングを備えた光学走査装置において、
前記ミラー支持部は、前記反射ミラーの反射面側又は背面側の長手方向両側部を支持する第１支持部及び第２支持部と、前記反射ミラーの底面を支持する第３支持部と、を有し、
前記第３支持部が前記反射ミラーの長手方向に移動可能とされ、この第３支持部の移動により、複数の解像度に対応可能とされ、
前記第３支持部は、前記反射ミラーの長手方向に沿って複数配設された前記ハウジングの第１固定部に選択的に固定される基板と、前記基板から突設され、前記反射ミラーの底面を支持する第１突部材と、を備え、前記基板の固定位置が変更されることにより、前記第１突部材が前記反射ミラーの長手方向に移動可能とされていることを特徴とする光学走査装置。
【請求項２】
前記第１突部材が一つの前記基板に複数設けられ、各第１突部材は高さが異なっていることを特徴とする請求項１に記載の光学走査装置。
【請求項３】
光源、回転多面鏡、結像レンズ系、被走査体上へ走査線を導く反射ミラー、この反射ミラーを回動可能に支持するミラー支持部、及び反射ミラーの反射面の角度を調整する角度調整手段を有し、それらを収容するハウジングを備えた光学走査装置において、
前記ミラー支持部は、前記反射ミラーの反射面側又は背面側の長手方向両側部を支持する第１支持部及び第２支持部と、前記ハウジングから突設されて前記反射ミラーの底面を支持する複数の第２突部材と、を有し、
前記複数の第２突部材が前記ハウジングから切断可能とされ、この第２突部材による前記反射ミラーの底面の支持位置が変更されることにより、複数の解像度に対応可能とされていることを特徴とする光学走査装置。
【請求項４】
前記角度調整手段が前記反射ミラーの長手方向に移動可能とされ、
前記角度調整手段は、前記第１支持部及び前記第２支持部と同じ側に配置されて前記反射ミラーの反射面側又背面側を支持し、第１支持部と第２支持部とを結ぶ線を回動軸として反射ミラーを回動させるとともに、反射ミラーの長手方向に移動可能とされた調整部材と、前記反射ミラーを前記第１支持部及び前記第２支持部と前記調整部材とに向かって付勢する付勢手段と、を有し、
前記調整部材は、前記反射ミラーの長手方向に沿って複数配設された前記ハウジングの第２固定部に選択的に固定可能とされ、この固定位置が変更されることにより前記反射ミラーの長手方向に移動可能とされ、
前記調整部材に、前記反射ミラーを支持し角度調整する第２ねじ部材が設けられていることを特徴とする請求項１乃至３のいずれか１項に記載の光走査装置。
【請求項５】
前記調整部材は、前記第２固定部に固定される板材と、前記板材から張出し前記反射ミラーを押圧する突片と、を有することを特徴とする請求項４に記載の光走査装置。
【請求項６】
前記板材は、板材を前記第２固定部に固定する固定部材回りに回動可能とされていることを特徴とする請求項５に記載の光走査装置。
【発明の詳細な説明】
【０００１】
【発明の属する技術分野】
本発明は、光ビームを画像情報に応じて被走査体上に走査露光することにより画像を記録するレーザープリンターやデジタル複写機等の電子写真装置に用いられる光学走査装置に関する。
【０００２】
【従来の技術】
従来の光学走査装置の構成を、図２５を参照して説明する。
【０００３】
光学走査装置１００は、情報を含む光ビーム１０２を出射する光源装置１０４と、出射された光ビーム１０２を所定の方向へ偏向するポリゴンモーター１０６と、偏向されて結像レンズ系１０８を経た光ビーム１０２を被走査体１１０に導く反射ミラー１１２と、これら各部品を収容設置するハウジング１１４とで構成されており、スクリュー１１６によって電子写真装置のフレーム１１８に固定されている。
【０００４】
一般に、このような光学走査装置では、光ビームを被走査体の所望位置に導くための反射ミラーの角度調整が必要であり、そのための反射ミラー支持機構が設けられている。
【０００５】
図２６に示される反射ミラー支持機構１２０の例では、反射ミラー１１２の反射面側・一側端部（図中手前側）をハウジング１１４に設けた第１支持体１２２及び調整スクリュー１２４で支持し、他側端部（図中奥側）は第２支持体１２６で支持しており、ミラー背面を弾性体１２８で押圧することで反射ミラー１１２を光路上の所定位置に固定している。
【０００６】
そして光ビームを被走査体の所望位置に導くには、調整スクリュー１２４の進退により反射ミラー１１２の角度を変化させることで行っている。このような反射ミラー支持機構は、例えば実開平１―１２８２１０号公報に示されている。
【０００７】
上記構成の光学走査装置１００は、図２７に示されるように電子写真装置１３０のフレーム１１８上部に組に込まれ、前述した様に、回転する被走査体１１０上に情報を含んだ光ビーム１０２を走査（主走査方向）する。被走査体１１０は、帯電手段１３２によって表面が均一に帯電されており、光ビーム１０２が走査されることで露光し静電潜像が形成される。
【０００８】
この静電潜像は現像手段１３４によりトナー像とされ、これらの動作と同期して用紙搬送手段１３６により搬送される記録用紙１３８に転写される。転写後は定着手段１４０によって定着処理が行われ、プリントされた記録用紙１３８がトレー（図示省略）に搬出される。
【０００９】
このような電子写真装置１３０では上述したように、装置内部に、用紙搬送手段１３６、被走査体１１０を駆動する駆動モーター（図示省略）、あるいはポリゴンモーター１０６等、多数の振動源が存在する。このため、それらの振動がフレーム１１８やハウジング１１４を伝播して反射ミラー１１２にたわみ振動（共振）を起こし（図中の２点鎖線の状態）、被走査体１１０に導かれる光ビーム１０２が正規の光路からずれて（図中の１０２Ａ、１０２Ｂに示す走査線ずれの状態）画質不良となる問題があった。
【００１０】
この問題を解決する手段として、特開平２−２５３２７４号公報の例では、図２８に示されるように、反射ミラー１１２の底面とハウジング１１４の底板と間に、ゴム又は発泡ポリウレタンなどの緩衝部材１４２を介在させ、反射ミラー１１２のたわみ振動を吸収抑制する方法が提案されている（以下、従来例１と呼ぶ）。
【００１１】
また別の例として、特開平９−１２００３９号公報では、図２９に示されるように、反射ミラー１１２の背面側に錘１４４を取付けて共振周波数を変更しており、本例では、共振周波数をポリゴンモーター等の入力周波数から２０Ｈｚ以上離すことで高画質化を図っている（以下、従来例２と呼ぶ）。
【００１２】
【発明が解決しようとする課題】
しかしながら、上記従来例１を前述したような反射ミラー支持機構（図２６参照）に組込むと、緩衝部材が軟質で変形抵抗の大きいゴム等であるため、角度調整（調整スクリュー１２４の進退）での反射ミラーの追従性が悪くなる。特に高い精度調整においては作業に支障を来たす。また、図３０に示すような構成の反射ミラー支持機構１５０では、反射ミラー１１２が緩衝部材１４２に引っ掛かって、図３０（Ｃ）に示すように反射面を支持する第１支持体１２２との間に隙間Ｙを生じ、光ビームが適正に導けなくなる不具合がある。さらに、径時変化による劣化で緩衝部材の押し付け力が弱まることもあるため、振動抑制効果が低下する欠点もある。
【００１３】
また近年では、複数解像度、複数印字スピードを１つの光学走査装置で提供する形態も多く、この場合、全ての解像度で必ずしも緩衝部材が必要となるわけではない。したがって、その特定解像度の光学走査装置では緩衝部材を取外す手間が生じ、製造コストや部品代に無駄が出る。さらに製造工程においては、緩衝部材の有無を管理する必要が生じ、本来、緩衝部材を装着しなければならない解像度の装置で欠品等の不良を招く恐れもあり、製造及び品質管理費が嵩む問題がある。
【００１４】
一方、従来例２の構成では、反射ミラーの背面に錘を貼り付けることで反射面に歪みが生じるため、光ビームの反射精度を悪化させる問題がある。またここでも、部品代や取付け作業の追加によるコストアップが見込まれる。
【００１５】
本発明は上記事実を考慮して、反射ミラーの角度調整機構を備えるとともに、複数の解像度、印字スピードに対応した構成においても、反射ミラーのたわみ振動を確実、且つ、安価に抑制して高画質化を実現させた光学走査装置を提供することを課題とする。
【００１６】
【課題を解決するための手段】
請求項１に記載の発明は、光源、回転多面鏡、結像レンズ系、被走査体上へ走査線を導く反射ミラー、この反射ミラーを回動可能に支持するミラー支持部、及び反射ミラーの反射面の角度を調整する角度調整手段を有し、それらを収容するハウジングを備えた光学走査装置において、前記ミラー支持部は、前記反射ミラーの反射面側又は背面側の長手方向両側部を支持する第１支持部及び第２支持部と、前記反射ミラーの底面を支持する第３支持部と、を有し、前記第３支持部が前記反射ミラーの長手方向に移動可能とされ、この第３支持部の移動により、複数の解像度に対応可能とされ、前記第３支持部は、前記反射ミラーの長手方向に沿って複数配設された前記ハウジングの第１固定部に選択的に固定される基板と、前記基板から突設され、前記反射ミラーの底面を支持する第１突部材と、を備え、前記基板の固定位置が変更されることにより、前記第１突部材が前記反射ミラーの長手方向に移動可能とされていることを特徴としている。
【００１７】
請求項１に記載の発明では、反射ミラーはミラー支持部により回動可能に支持されており、反射面の角度を角度調整手段により調整して被走査体上の所望位置に走査線を導く。そして上記のミラー支持部のうち第３支持部は、反射ミラーの長手方向に移動可能とされている。
【００１８】
これにより、反射ミラーの支持長さ、すなわち支持ポイントが変えられ、反射ミラーの固有振動数が変更できる。したがって、光学走査装置を複数の解像度に対応させる形態であっても、反射ミラーが回転多面鏡等の振動源と共振を起こす共振周波数を変えることでたわみ振動が回避できる。
【００１９】
また、たわみ振動の抑制にミラー支持部を利用することで従来のような振動抑制部材を個別に設ける必要もなく、支持ポイントを移動させるだけで複数の解像度に対応できる汎用性もあることからコストが押さえられる。さらに、反射ミラーに余分なストレスが加わることもなく、反射面を歪ませるなどの弊害もない。
【００２０】
またミラー支持部は、例えばハウジングと同等の剛性が高い材料で形成されるため経時変化にも強く、よって共振の発生を確実に防止することができる。
【００２１】
また、請求項１に記載の発明におけるミラー支持部は、反射ミラーの反射面側又は背面側の長手方向両側部を支持する第１支持部及び第２支持部と、反射ミラー底面を支持する第３支持部とした少なくとも３つの支持部を有するとともに、第３支持部を反射ミラーの長手方向に移動可能に構成してある。また第３支持部は、反射ミラーの長手方向に沿って複数配設されたハウジングの固定部に選択的に固定される基板と、基板から突設され、反射ミラーの底面を支持する第１突部材とを備えている。さらにこの第１突部材は、請求項２のように、一つの基板に複数設け、各部材は高さがそれぞれ異なっているようにしてもよい。
【００２２】
また、請求項３に記載の発明では、ミラー支持部を、上記の第１支持部及び第２支持部に加え、ハウジングから突設されて反射ミラーの底面を支持する複数の第２突部材とし、この第２突部材をハウジングから切断可能としてもよい。
【００２３】
なお、請求項３に記載の発明は、光源、回転多面鏡、結像レンズ系、被走査体上へ走査線を導く反射ミラー、この反射ミラーを回動可能に支持するミラー支持部、及び反射ミラーの反射面の角度を調整する角度調整手段を有し、それらを収容するハウジングを備えた光学走査装置において、前記ミラー支持部は、前記反射ミラーの反射面側又は背面側の長手方向両側部を支持する第１支持部及び第２支持部と、前記ハウジングから突設されて前記反射ミラーの底面を支持する複数の第２突部材と、を有し、前記複数の第２突部材が前記ハウジングから切断可能とされ、この第２突部材による前記反射ミラーの底面の支持位置が変更されることにより、複数の解像度及び複数の印字スピードの少なくとも一方に対応可能とされていることを特徴としている。
【００２４】
さらに請求項１〜請求項３の何れか１項に記載の発明では、請求項４のように、角度調整手段を反射ミラーの長手方向に移動可能としてもよい。
【００２５】
また、角度調整手段は、請求項４のように、第１支持部及び第２支持部と同じ側に配置されて反射ミラーの反射面側又背面側を支持し、第１支持部と第２支持部とを結ぶ線を回動軸として反射ミラーを回動させる調整部材と、反射ミラーを第１支持部及び第２支持部と調整部材とに向かって付勢する付勢手段と、を有するようにしてもよく、さらに上記の調整部材を、反射ミラーの長手方向に沿って複数配設されたハウジングの第２固定部に選択的に固定されて反射ミラー長手方向に移動可能としてもよい。
【００２６】
なお、この調整部材は、請求項５のように、第２固定部に固定される板材と、板材から張出し反射ミラーを押圧する突片で構成してもよく、さらにその板材は、請求項６のように、板材を第２固定部に固定する固定部材回りに回動可能としてもよい。
【００２７】
また、請求項４に記載の発明では、調整部材に、反射ミラーを押圧する第２ねじ部材を設けてもよい。
【００２８】
【発明の実施の形態】
以下、図面を参照して本発明の実施の形態を説明する。
【００２９】
［第１の実施形態］
図１に示すように、第１の実施形態に係る光学走査装置１０は、従来と同様、電子写真装置内の本体フレ−ム１２に搭載され、ハウジング１４がスクリュー１６で固定されている。ハウジング１４には、光源装置１８が設けられており、この光源装置１８では、半導体レーザから発生された情報を含んだ光ビームが、コリメータレンズで平行光とされて出射される。
【００３０】
光源装置１８から出射された光ビームは、図示しないシリンドリカルンズでポリゴンモーター２０の近傍に集光され、ポリゴンモーター２０に入射される。入射した光ビームは、ポリゴンモーター２０で偏向走査され、結像レンズ系２２によって、被走査体２４の上に光スポットとして集光する。またここで、結像レンズ系２２を経た情報を含む光ビームは、反射ミラー２６で反射され、ハウジング１４の透過口２８を通過して、被走査体２４の表面に静電潜像を形成する。
【００３１】
次に、反射ミラー２６の支持機構を詳細に説明する。
【００３２】
図２〜図４に示す第１の実施形態では、ハウジング１４の底板１４Ａに、反射ミラー２６の底面２６Ｃを支持する下部支持プレート３０がスクリュー３２で固定されている。この下部支持プレート３０は、長さが反射ミラー長手寸法の半分程度とされており、反射ミラー２６の一側端寄りにミラーと平行の向きに配設されている。
【００３３】
下部支持プレート３０のプレート本体３４には、両端部近傍から突部３６及びこの突部３６よりも低い突部３８が突設されており、ここでは、反射ミラー２６の中央に位置する突部３６が、反射ミラー２６の底面２６Ｃを傾倒させた状態で１点支持している。
【００３４】
さらに、反射ミラー２６の他側端部には、ハウジング１４の底板１４Ａから突部３６よりも低い突部４０も突設されている。これら突部３６、３８、４０は、頭部が球面状とされている。
【００３５】
またハウジング１４からは、突部３８近傍に第１支持部４２が、突部４０近傍に第２支持部４４が各々突設され、反射ミラー２６の反射面２６Ａ側を２点で支持しており、反射ミラー２６は、この第１支持部４２と第２支持部４４を結ぶ線を軸として回動するようになっている。
【００３６】
一方、第２支持部４４側には、Ｌ形状の調整ブラケット４６がスクリュー３３で固定されている。この調整ブラケット４６の上部には、調整スクリュー４８がねじ込まれており、先端部が、反射ミラー２６の反射面２６Ａ側上部を、第２支持部４４の支持点と間隔Ｈ（図３（Ｃ）参照）をあけて支持している。
【００３７】
これによって、反射ミラー２６の反射面２６Ａ側が、第１支持部４２、第２支持部４４、及び調整スクリュー４８の３点で支持され、また、反射ミラー２６を回動させるためのモーメントを発生させる腕の長さＨが確保される。
【００３８】
さらに、反射ミラー２６の背面２６Ｂ側には、スプリング５０がスクリュー３３で固定されている。このスプリング５０の屈曲部５０Ａが反射ミラー２６の背面２６Ｂと当接して、反射ミラー２６を第１支持部４２、第２支持部４４、及び調整スクリュー４８に向かって付勢するとともに、反射ミラー２６を図４（Ａ）に示すようにほぼ水平に保持している。
【００３９】
なお、本実施の形態では各部の寸法を以下の通りに設定してある。
【００４０】
反射ミラー２６は、長さ：Ｌ＝２５０ｍｍ、幅：Ｗ＝１６ｍｍ、厚さ：ｔ＝５ｍｍである。
【００４１】
各支持部の支持ポイント（中心）は（図４（Ａ）参照）、第１支持部４２の支持ポイントＰ１が反射ミラー２６の一側端からＸ１＝１０ｍｍ、上面からＹ１＝８ｍｍ、第２支持部４４の支持ポイントＰ２が反射ミラー２６の他側端からＸ２＝１０ｍｍ、上面からＸ２＝１４ｍｍに位置している。また、調整スクリュー４８の支持ポイントＰ３は、反射ミラー２６の他側端からＸ３＝１０ｍｍ、上面からＹ３＝２ｍｍに位置している。
【００４２】
一方、反射ミラー２６の下部に配置された各支持部は、まず突部４０が反射ミラー２６の他側端からＸ４＝１０ｍｍ（第２支持部４４のＸ２及び調整スクリュー４８のＸ３と同じ）であり、下部支持プレート３０に設けられた突部３８が反射ミラー２６の一側端からＸ４＝１０ｍｍ（第１支持部４２のＸ１と同じ）、同じく突部３６がＸ５＝１２５ｍｍ（１０ｍｍ＋１１５ｍｍ）である。
【００４３】
また本形態では、下部支持プレート３０は、ハウジング１４や第１支持部４２及び第２支持部４４と同等の材質、例えば、ガラス・フィラー入りのエンジニアリング・プラスチック材料（ポリカーボネート）や金属（アルミニウム）等によって作製されている。
【００４４】
次に、本実施の形態の作用を説明する。
【００４５】
まず、光ビームを被走査体の所望位置に導く際は、従来と同様、調整スクリュー４８を進退させる。すると、スプリング５０によって付勢されている反射ミラー２６は第１支持部４２と第２支持部４４を結ぶ線を軸として回動する。これにより、反射面２６Ａの傾きが変えられ、被走査体の所望位置に走査線を合わせ込むことができる。
【００４６】
ここで、反射ミラー２６の下部を支持している下部支持プレート３０の突部３６は頭部が球面状とされている。これにより、反射ミラー２６の底面２６Ｃとは点接触となり、且つ、反射ミラー２６はその球面に倣って回動するため、回動動作はスムーズである。さらに、接触部分ではスプリング５０の付勢力に抗する摩擦抵抗も十分小さく、よって反射面２６Ａが第１支持部４２や第２支持部４４から離れることもない。
【００４７】
また、角度調整により反射ミラー２６の姿勢が図４（Ａ）のｇラインのように多少傾いたとしても、反射ミラー２６の自重によって突部３６とは確実に接触しており、突部３８及び突部４０との間のクリアランス（図中のＣＬ）によって１点支持の状態に保たれる。
【００４８】
そして、このような反射ミラー２６の支持状態は、本実施の形態では図４（Ａ）に示すＡ解像度に適用している。
【００４９】
Ｂ解像度では、下部支持プレート３０を固定しているスクリュー３２を外し、図４（Ｂ）に示すように、突部３６と突部３８の位置が入れ替わるよう反転して取付けることで、反射ミラー２６の支持状態を変更する。ここでは、反射ミラー２６の中央に配置された突部３８と底面２６Ｃとの間にクリアランスができ、反射ミラー２６は両側部に位置する突部３６と突部４０とによって支持される。
【００５０】
したがって、反射ミラー２６の支持ポイントが中央の1点から両側部の2点に変わり、反射ミラー２６の固有振動数が変化する。よって図４からも分かるように、振動源との共振周波数が大幅に変化して、Ｂ解像度でのたわみ振動を押さえることもできる。
【００５１】
以上説明したように、本実施の形態に係る光学走査装置１０では、Ａ、Ｂといった２つの解像度、印字スピードに対応する場合でも、反射ミラー２６の底面２６Ｃを支持している突部３６を移動させて支持ポイントを変えることにより、反射ミラー２６の共振周波数が変更できるため、各解像度のたわみ振動が回避できる。
【００５２】
また、たわみ振動の抑制に反射ミラー２６の支持部を利用していることで、振動抑制部材等を別途設ける必要もなく、加えて、複数解像度に容易に対応できる汎用性もあることからコストが押さえられる。さらに、反射ミラー２６にストレスを与えることもないため反射面２６Ａが歪むことはない。
【００５３】
また、下部支持プレート３０は、前述の通り、ハウジング１４と同等の材質（ガラス繊維入りポリカーボネート等）なので、温湿度等の環境による影響や経時変化に対しても強く、すなわち、形状変化、変形が微少であり、反射ミラー２６を安定して支持し共振の発生を確実に防止することができる。
【００５４】
［第２の実施形態］
次に、本発明の第２の実施形態について説明する。この第２の実施形態では、上記第１の実施形態で説明した構成とほぼ同じであるため、同一構成部品については同一符合を付してその説明を省略する。
【００５５】
図５〜図７に示す第２の実施形態では、下部支持プレート３０のプレート本体３４に設けられた突部３６（第１の実施形態）に代えて、図示のような突部５２が突設されている。この突部５２は、反射ミラー２６の底面２６Ｃとの当接部がＲ面とされた略半円柱状で、反射ミラー２６の長手方向と平行の向きに形成されている。ここでは、長さ：Ｓ＝１０ｍｍであり、支持部（底面２６Ｃとの当接部）の中心は第１実施形態の突部３６と同じ位置とされ、高さについても同様に突部３８よりも高く設定されている（図６（Ｃ）のΔｈ）。
【００５６】
一方、反射ミラー２６の背面２６Ｂを付勢しているスプリング５０の上部からはアーム部５４が延出しており、先端のＲ部５４Ａによって反射ミラー２６の上面２６Ｄが押圧されている。
【００５７】
これにより、反射ミラー２６をハウジング１４内に組付ける際は、突部５２上に載置することで左右のバランスが安定し作業性が向上する。
【００５８】
またここでも、ミラー底面２６Ｃとの当接部はＲ面とされていることで線接触となっており、反射ミラー２６の回動性や各支持部による支持状態が良好に保たれる。
【００５９】
さらに、ミラー上面２６Ｄをスプリング５０のアーム部５４で押圧していることにより、強い衝撃などを受けても、ミラー底面２６Ｃが突部５２から離間することを確実に防止できる。また、Ｒ部５４Ａも反射ミラー２６の上面２６Ｄと線接触しているため摩擦抵抗が少なく、角度調整時における反射ミラー２６の回動動作を妨げることはない。
【００６０】
なお、本実施の形態では、反射ミラー２６の底面２６Ｃの支持状態が第１の実施形態とは異なるため共振周波数にも差が出る。したがって、図７に示したようなＣ、Ｄ解像度の光学走査装置に適用している。
【００６１】
また突部５２の長さＳは、反射ミラーのサイズや目的解像度等に合わせて適宜変更できるものである。さらに、スプリング５０に一体的に設けたアーム部５４は別体としてもよい。
【００６２】
また、本実施の形態のような反射ミラー２６の上面２６Ｄを押圧する構成は、第１の実施形態にも適用できる。
【００６３】
［第３の実施形態］
次に、本発明の第３の実施形態について説明する。この第３の実施形態も、前述した第１の実施形態で説明した構成とほぼ同じであるため、同一構成部品については同一符合を付してその説明を省略する。
【００６４】
図８〜図１０に示す第３の実施形態では、下部支持プレート５６のプレート本体５８が第１の実施形態よりも短かくされており、プレート本体５８の中央に反射ミラー２６の底面２６Ｃを支持するための突部６０が突設されている。
【００６５】
この突部６０の高さ寸法も、第１の実施形態における突部３６と同じ設定であり、且つ、ハウジング１４の底板１４Ａから突設された突部４０、及び、第１支持部４２の近傍に配設されている突部４１よりも高くされている。
【００６６】
また、ハウジング１４の底板１４Ａには、下部支持プレート５６を固定するためのタップ穴６２が反射ミラー２６の長手方向に沿って複数穿設されており、下部支持プレート５６は、このタップ穴６２の位置に合わせて、反射ミラー２６の長手方向に段階的に移動可能とされている。さらにここでは、突部６０は、第１の実施形態における突部３６、３８に相当する位置に加えて、それらのほぼ中間にも配置できる構成である。
【００６７】
これにより、反射ミラー２６を支持する支持ポイントの選択肢が増え、第１の実施形態でのＡ、Ｂ解像度に加え（図１０（Ａ）、（Ｂ）参照）、図１０（Ｃ）に示すようにＥ解像度にも対応した共振周波数の変更が可能となる。
【００６８】
またここでは、下部支持プレート５６の大きさやタップ穴６２の個数、間隔を変えることにより、４種類以上の解像度に適応することもできる。
【００６９】
なお、本実施の形態の下部支持プレート５６には、突部６０をＢ解像度に対応させて配置したとき、図９（Ａ）に示すように、突部４１を内包するための空隙６１が形成されている。
【００７０】
また、図９（Ｂ）に示す変形例は、下部支持プレート５６の取付用穴を長穴６３としたものであり、これによって、各解像度における共振周波数の微調整が可能となる。
【００７１】
また本実施の形態でも、衝撃等による反射ミラーの位置ずれ対策として、第２の実施形態で説明した反射ミラー上面を押圧する構成が適用できる。
【００７２】
［第４の実施形態］
次に、本発明の第４の実施形態について説明する。この第４の実施形態も、前述した第１の実施形態で説明した構成とほぼ同じであるため、同一構成部品については同一符合を付してその説明を省略する。
【００７３】
第４の実施形態では、図１１及び図１２に示すように、ハウジング１４の底板１４Ａから、反射ミラー２６の底面２６Ｃを支持するための３つの突部６４、６６、６８が突設されている。
【００７４】
突部の高さ関係は、中央に位置する突部６６（ｈ１）が最も高く、次いで左隣に所定間隔で配置された突部６４（ｈ２）、右隣に配置された突部６８（ｈ３）の順となり、最も低い両端の突部４０（ｈ２）、突部４１（ｈ５）は高さが等しくされている。
【００７５】
また、突部６４、６６、６８の基部の回りにはそれぞれ周溝７０が形成されており、これによって、突部６４、６６、６８は基部付近からの切断が可能とされている。
【００７６】
したがって、図１２に示すように、所望の共振周波数になるよう突部６４、６６、６８の位置を決定し設け、光学走査装置１０の製造時に目的の解像度に対応する突部を残して切断すれば、反射ミラー２６の共振周波数を複数の中から適正値に設定することができ、ここでは前述のＡ、Ｂ、Ｅ解像度に加え、Ｆ解像度おけるたわみ振動も回避できている。
【００７７】
このように、ハウジング１４に複数の突部を設けるといった簡単な構成でも、反射ミラー２６の共振周波数を複数選択することができ、コストダウンが実現できる。
【００７８】
また本実施の形態でも、第２の実施形態で説明した反射ミラー上面を押圧する構成が適用できる。
【００７９】
［第５の実施形態］
次に、本発明の第５の実施形態について説明する。この第５の実施形態も、前述した第１の実施形態で説明した構成とほぼ同じであるため、同一構成部品については同一符合を付してその説明を省略する。
【００８０】
第５の実施形態は、上記の第４の実施形態で説明した複数の突部に代えて、反射ミラーの下部を支持するミラー支持スクリューを設けたものである。
【００８１】
ここでは、図１３及び図１４に示すように、ハウジング１４の底板１４Ａには、第４の実施形態の突部６４、６６、６８と同じ位置にタップ穴７２が穿設されており、このタップ穴７２にミラー支持スクリュー７４がねじ込まれている。そして、各解像度に合わせてミラー支持スクリュー７４を繰り出し、反射ミラー２６の底面２６Ｃに当接させ支持することで、反射ミラー２６の共振周波数を変更している。
【００８２】
このように、ハウジング１４にミラー支持スクリュー７４を設けた構成でも、反射ミラー２６のたわみ振動が抑制できる。
【００８３】
また、このようなねじ部材（ミラー支持スクリュー７４）を用いることでハウジング１４への取付け取外しが容易となり、すなわち、ミラー支持スクリュー７４の配置を変えるだけで共振周波数が何度でも容易に変更できるため、製造時における機種の切り換えやＬＯＴ調整等にも柔軟な対応ができる。
【００８４】
さらに、このミラー支持スクリュー７４を金属製とし、ねじ止め剤等を適宜併用するなどすれば、経時変化等の問題も確実に防止できる。
【００８５】
また本実施の形態でも、第２の実施形態で説明した反射ミラー上面を押圧する構成が適用できる。
【００８６】
［第６の実施形態］
次に、本発明の第６の実施形態について説明する。この第６の実施形態も、上述した第１の実施形態で説明した構成とほぼ同じであるため、同一構成部品については同一符合を付してその説明を省略する。
【００８７】
本実施の形態の特徴は、第１〜第５実施形態のように反射ミラーを支持する支持部側を移動させるのではなく、角度調整部側を移動するものである。
【００８８】
図１５〜図１８に示す第６の実施形態では、調整ブラケット７６のブラケット本体７８から突片８０が張出しており、この突片８０によって反射ミラー２６の反射面２６Ａを支持するようになっている。
【００８９】
またハウジング１４の底板１４Ａには、調整ブラケット７６の位置決めをするための凹部８２が設けられており、凹部８２には、調整ブラケット７６をスクリュー３３で固定するためのタップ穴８４が反射ミラー２６の長手方向に沿って３個穿設されている。これにより、調整ブラケット７６の取付け位置が変えられ、反射ミラー２６の共振周波数が複数選択できるようになる。
【００９０】
また図１６に示すように、反射ミラー２６の姿勢を決定する凹部８２の突き当て部Ｖは、第２支持部４４との寸法Ｋが高い精度に設定されており、ブラケット本体７８の端面から反射ミラー２６の位置（反射面２６Ａの傾斜角度）を決める突片８０までの距離Ｊ及びその高さＩ寸法も、被走査体に導く走査線が適正位置となるよう精度高く設定されている。
【００９１】
なお、本実施の形態では、反射ミラー２６の寸法に合わせ、タップ穴８４のピッチを１４ｍｍとして卜ータル２８ｍｍに設定しており、調整ブラケット７６の可動範囲がこの程度であれば、ハウジング内への収容も十分可能である。
【００９２】
そしてここでは、図１７（Ａ）に示すＧパターンから（Ｂ）に示すＨパターンまで、さらにそのＨパターンから（Ｃ）に示すＩパターンまでの移動量で１次周波数をそれぞれ２０Ｈｚ以上シフトできている。すなわち、従来例２（特開平９−１２００３９号公報）で述べられている共振の回避にも十分な値である。
【００９３】
さらに、調整ブラケット７６は左右対称の構造とされて、ブラケット本体７８の端面から両側部の各突片８０の先端までの距離Ｊ及びその高さＩが同じに製作されている（図１６参照）。したがって、図１８に示すように、ブラケット本体７８を（Ａ）の向きからタップ穴８４及びスクリュー３３を回転中心として（Ｂ）に示すように反転させ、反射面２６Ａの支持ポイントを移動することができる。さらに３箇所の取付け位置と組み合せることにより、計６種類の支持ポイント、すなわち反射ミラー２６の共振周波数が選択できる。
【００９４】
また図１９に示すように、調整ブラケット７６の取付穴を長穴８６としてスライドできる構造とすれば、共振周波数の微調整が可能となってより詳細な設定にも対応できる。
【００９５】
これらの構成により、多くの光学走査装置で調整スクリューを削除することができ、調整コストが低減できる。また、反射ミラーの共振周波数を環境の変化や外乱に左右されず、且つ、反射面に悪影響を与えずに、数段階、安定して変化させることができる。
【００９６】
さらに、各部品の精度誤差が大きく走査線を被走査体に公差内で導けない場合でも、前述した調整スクリュー用のタップ穴を残しておけば、図２０に示すように、調整ブラケット７６の向きを９０度変えて配置し、調整スクリュー４８を用いて暫定的に反射ミラー２６の角度調整をすることもできる。
【００９７】
なお、本実施の形態でも、第２の実施形態で説明したミラー上方からの押圧部を設けることで、衝撃などに対する反射ミラー２６のずれ防止効果が同様に得られる。
【００９８】
［第７の実施形態］
次に、本発明の第７の実施形態について説明する。この第７の実施形態は、上述した第６の実施形態の変形例であり、構成がほぼ同じであるため、同一構成部品については同一符合を付してその説明を省略する。
【００９９】
図２１〜図２４に示す第７の実施形態では、調整ブラケット８８の取付部９０が円盤状とされている。この取付部９０は、ハウジング１４の底板１４Ａに設けられた凹部９２の円形状部に精度よく嵌合するよう形成されており、図２３に示すように、スクリュー３３（及びタップ穴８４）を中心として回動できるようになっている。
【０１００】
したがって、調整ブラケット８８の突片８０をノミナル位置からＲ１、Ｒ２のように移動可能となり、反射ミラー２６の角度調整後にスクリュー３２を締結して所望位置に固定できる。
【０１０１】
これにより、調整スクリューを削除しても反射ミラー２６の角度調整が可能となり、幅広い調整範囲を確保しつつコストの低減も図れる。
【０１０２】
また、本実施形態の調整ブラケット８８も、図２２に示すように左右対称に作製しているため、図２４のように、（Ａ）の向きから（Ｂ）のように反転させることができ、第６の実施形態と同様、多くの共振周波数パターンに対応できる。
【０１０３】
なお、以上説明した第１〜第７の実施形態の他に、請求項の範囲内で種々の変更が可能である。例えば、反射ミラーの共振周波数を変えるために、ミラー底面を支持する突部や反射面を支持する角度調整部を移動する構成としているが、第１支持部４２や第２支持部４４を移動させてもよく、またそれらを組み合わることも可能である。さらにその支持ポイントは、反射ミラーの反射面及び底面に加え、背面、あるいは上面としてもよい。
【０１０４】
【発明の効果】
本発明の光学走査装置は上記構成としたので、反射ミラーの角度調整機構を備えるとともに、複数の解像度、印字スピードに対応した構成においても、反射ミラーのたわみ振動が確実、且つ、安価に抑制できて高画質化が実現できる。
【図面の簡単な説明】
【図１】  本発明の光学走査装置を電子写真装置に搭載した状態を示す概略構成図である。
【図２】  本発明の第１の実施形態に係る光学走査装置の反射ミラー支持機構の斜視図である。
【図３】  図２の側断面図を示し、（Ａ）が図２のＡ−Ａ線断面図、（Ｂ）が図２のＢ−Ｂ線断面図、（Ｃ）が図２のＣ−Ｃ線断面図である。
【図４】  本発明の第１の実施形態に係る反射ミラーの共振周波数を変更するための説明図である。
【図５】  本発明の第２の実施形態に係る光学走査装置の反射ミラー支持機構の斜視図である。
【図６】  図５の下部支持プレートを示し、（Ａ）が平面図、（Ｂ）が正面図である。
【図７】  本発明の第２の実施形態に係る反射ミラーの共振周波数を変更するための説明図である。
【図８】  本発明の第３の実施形態に係る光学走査装置の反射ミラー支持機構の斜視図である。
【図９】  図８の下部支持プレートを示し、（Ａ）が拡大斜視図、（Ｂ）が変形例の拡大斜視図である。
【図１０】  本発明の第３の実施形態に係る反射ミラーの共振周波数を変更するための説明図である。
【図１１】  本発明の第４の実施形態に係る光学走査装置の反射ミラー支持機構の斜視図である。
【図１２】  本発明の第４の実施形態に係る反射ミラーの共振周波数を変更するための説明図である。
【図１３】  本発明の第５の実施形態に係る光学走査装置の反射ミラー支持機構の斜視図である。
【図１４】  本発明の第５の実施形態に係る反射ミラーの共振周波数を変更するための説明図である。
【図１５】  本発明の第６の実施形態に係る光学走査装置の反射ミラー支持機構の斜視図である。
【図１６】  図１５の反射ミラー調整機構の詳細図である。
【図１７】  本発明の第６の実施形態に係る反射ミラーの共振周波数を変更するための説明図である。
【図１８】  図１５の調整ブラケットの取付け向きを変更するための説明図である。
【図１９】  図１５の調整ブラケットの変形例を示す拡大斜視図ある。
【図２０】  図１５の調整ブラケットの他の変形例を示す斜視図ある。
【図２１】  本発明の第７の実施形態に係る光学走査装置の反射ミラー支持機構の斜視図である。
【図２２】  図２１の調整ブラケットを示し、（Ａ）が平面図、（Ｂ）が正面図、（Ｃ）が側面図である。
【図２３】  図２１の調整ブラケットの調整位置を示す説明図である。
【図２４】  図２１の調整ブラケットの取付け向きを変更するための説明図である。
【図２５】  従来の光学走査装置の構成を説明するための斜視図である。
【図２６】  図２５における従来の一般的な反射ミラー調整機構の側断面図である。
【図２７】  従来の光学走査装置の問題点を説明するための説明図である。
【図２８】  他の従来の光学走査装置の構成を説明するための斜視図である。
【図２９】  更に他の従来の光学走査装置を示し、（Ａ）が光学走査装置の概略構成図、（Ｂ）が反射ミラーの斜視図である。
【図３０】  図２８の反射ミラー支持機構を本実施の形態の光学走査装置に組込んだ時の問題点を説明する図である。
【符号の説明】
１０    光学走査装置
１４    ハウジング
１８    光源装置（光源）
２０    ポリゴンモーター（回転多面鏡）
２２    結像レンズ系
２４    被走査体
２６    反射ミラー
２６Ａ  反射面
２６Ｂ  背面
２６Ｃ  底面
３０、５６    下部支持プレート（ミラー支持部／第３支持部）
３３    スクリュー（固定部材）
３４、５８    プレート本体（基板）
３６、３８、５２、６０    突部（第１突部材）
４２    第１支持部（ミラー支持部）
４４    第２支持部（ミラー支持部）
４６、７６、８８    調整ブラケット（角度調整手段／調整部材）
４８    調整スクリュー（第２ねじ部材）
５０    スプリング（角度調整手段／付勢手段）
６２    タップ穴（第１固定部）
６４、６６、６８    突部（第２突部材）
７２    タップ穴（ねじ部）
７４    ミラー支持スクリュー（第１ねじ部材）
７８    ブラケット本体（板材）
８０    突片
８４    タップ穴（第２固定部）
【図１】
0003899768.tif 000002
【図２】
0003899768.tif 000003
【図３】
0003899768.tif 000004
【図４】
0003899768.tif 000005
【図５】
0003899768.tif 000006
【図６】
0003899768.tif 000007
【図７】
0003899768.tif 000008
【図８】
0003899768.tif 000009
【図９】
0003899768.tif 000010
【図１０】
0003899768.tif 000011
【図１１】
0003899768.tif 000012
【図１２】
0003899768.tif 000013
【図１３】
0003899768.tif 000014
【図１４】
0003899768.tif 000015
【図１５】
0003899768.tif 000016
【図１６】
0003899768.tif 000017
【図１７】
0003899768.tif 000018
【図１８】
0003899768.tif 000019
【図１９】
0003899768.tif 000020
【図２０】
0003899768.tif 000021
【図２１】
0003899768.tif 000022
【図２２】
0003899768.tif 000023
【図２３】
0003899768.tif 000024
【図２４】
0003899768.tif 000025
【図２５】
0003899768.tif 000026
【図２６】
0003899768.tif 000027
【図２７】
0003899768.tif 000028
【図２８】
0003899768.tif 000029
【図２９】
0003899768.tif 000030
【図３０】
0003899768.tif 000031